(57)【要約】【課題】嵌め合いに旋回運動の必要なヒンジの自動的に嵌め合わせ化を図る。【解決手段】上・下外枠ヒンジと上・下前枠ヒンジとが上下方向に位置決めされた後、外枠１に対し前枠１５を下げるか、または、前枠１５に対し外枠１を上げて、下前枠ヒンジのヒンジ孔２３と下外枠ヒンジのヒンジピン１２とを互いに嵌め合わせた状態において、カム機構３３により外枠１を支持した旋回フレーム５７を下外枠ヒンジのヒンジピン１２と下前枠ヒンジのヒンジ孔２３との挿入による結合部分Ｐを中心として右側に少し旋回すると、上前枠ヒンジ２０のヒンジピン２２と上外枠ヒンジ７のヒンジ孔９とが互いに嵌め合わされる。【選択図】　　　　図６
2004081425.tif 000002
【特許請求の範囲】
【請求項１】
外枠支持機構で支持した額縁状の外枠の上・下外枠ヒンジと前枠支持機構で定位置に支持された前枠の上・下前枠ヒンジとを互いに嵌め合わせることで外枠と前枠とを遊技機枠として組み立てるパチンコ機の遊技機枠組立装置において、外枠支持機構が外枠を前枠支持機構で定点支持された前枠に対して前進させる外枠押出機構と、下外枠ヒンジと下前枠ヒンジとを互いに嵌め合わせるために外枠と前枠とを相対的に昇降させる下外枠ヒンジ下前枠ヒンジドッキング機構と、外枠を前枠に対し旋回させるカム機構とを備え、これらの外枠押出機構と下外枠ヒンジ下前枠ヒンジドッキング機構とカム機構との関連付け動作で、下外枠ヒンジを下前枠ヒンジの下部の真下に配置するとともに上外枠ヒンジを上前枠ヒンジの下部で側方に配置し外枠と前枠とを相対的に昇降して下外枠ヒンジと下前枠ヒンジとを互いに嵌め合った後に当該互いに嵌め合わされた下外枠ヒンジと下前枠ヒンジとの結合部分を回転中心として上外枠ヒンジを上前枠ヒンジに対し旋回させて上外枠ヒンジと上前枠ヒンジとを互いに嵌め合わせることを特徴とするパチンコ機の遊技機枠組立装置。
【請求項２】
カム機構が着脱自在に形成されたことを特徴とする請求項１記載のパチンコ機の遊技機枠組立装置。
【発明の詳細な説明】
【０００１】
【発明の属する技術分野】
本発明はパチンコ機の外枠の上・下外枠ヒンジと前枠の上・下前枠ヒンジとを互いに嵌め合わせることで外枠と前枠とを遊技機枠として組み立てる装置に関する。
【０００２】
【従来の技術】
特許第２６９６３７３号公報には外枠支持機構で支持した額縁状の外枠の上・下外枠ヒンジと前枠支持機構で定位置に支持された前枠の上・下前枠ヒンジとを互いに嵌め合わせることで外枠と前枠とを遊技機枠として組み立てるパチンコ機の遊技機枠組立装置が開示されている。
【０００３】
【発明が解決しようとする課題】
しかしながら、前記従来例は起立状態の外枠の前面と起立状態の前枠の前面とが互いに直角に交わるような形態で、外枠と前枠とを対峙させ、外枠と前枠とを相対的に昇降し合うことで、上・下外枠ヒンジと上・下前枠ヒンジとを互いに嵌め込む構造であるため、嵌め合いに旋回運動の必要なヒンジを互いに嵌め合うことができないという問題点があった。
【０００４】
そこで、本発明は嵌め合いに旋回運動の必要なヒンジを自動的に嵌め合わせることができるパチンコ機の遊技機枠組立装置を提供するものである。
【０００５】
【課題を解決するための手段】
本発明にあっては、外枠支持機構で支持した額縁状の外枠の上・下外枠ヒンジと前枠支持機構で定位置に支持された前枠の上・下前枠ヒンジとを互いに嵌め合わせることで外枠と前枠とを遊技機枠として組み立てるパチンコ機の遊技機枠組立装置において、外枠支持機構が外枠を前枠支持機構で定点支持された前枠に対して前進させる外枠押出機構と、下外枠ヒンジと下前枠ヒンジとを互いに嵌め合わせるために外枠と前枠とを相対的に昇降させる下外枠ヒンジ下前枠ヒンジドッキング機構と、外枠を前枠に対し旋回させるカム機構とを備え、これらの外枠押出機構と下外枠ヒンジ下前枠ヒンジドッキング機構とカム機構との関連付け動作で、下外枠ヒンジを下前枠ヒンジの下部の真下に配置するとともに上外枠ヒンジを上前枠ヒンジの下部で側方に配置し外枠と前枠とを相対的に昇降して下外枠ヒンジと下前枠ヒンジとを互いに嵌め合った後に当該互いに嵌め合わされた下外枠ヒンジと下前枠ヒンジとの結合部分を回転中心として上外枠ヒンジを上前枠ヒンジに対し旋回させて上外枠ヒンジと上前枠ヒンジとを互いに嵌め合わせることによって、嵌め合いに旋回運動の必要なヒンジを自動的に嵌め合わせることができる。また、本発明にあっては、カム機構が着脱自在に形成されれば、カム機構を交換することで、従来のような外枠と前枠とを相対的に昇降し合うことで上・下外枠ヒンジと上・下前枠ヒンジとを互いに嵌め込むこともできる。
【０００６】
【発明の実施の形態】
図１から図８は一実施形態であって、図１は外枠支持機構２６の全体を分解して示し、図２は外枠搬入機構２５および外枠押出機構３１を分解して示し、図３は遊技機枠受渡機構３２、カム機構３３、外枠ストッパー機構３４、上外枠ヒンジ位置決定機構３５、下外枠ヒンジ位置決定機構３６および構造体５８を分解して示し、図４は前枠支持機構２９を分解して示し、図５は遊技機枠組立装置を平面的に示し、図６は旋回フレーム５７の旋回姿勢の正面を示し、図７は旋回フレーム５７の初期姿勢の正面を示し、図８は上外枠ヒンジ７と上前枠ヒンジ２０との嵌め合い動作を示す。
【０００７】
図５を参照し、遊技機枠組立装置の概略について説明する。遊技機枠組立装置に供給される外枠１は図５の右下に示すように上・下・左・右壁部２；３；４；５および幕板６からなる額縁状であって、左側に上・下外枠ヒンジ７；８を備える。上外枠ヒンジ７は外枠１から前方に突出した位置に半円形のヒンジ孔９と回転可能なピンストッパー１０およびばね１１を有し、下外枠ヒンジ８は外枠１から前方に突出した位置で上方に立設されたヒンジピン１２を有する。遊技機枠組立装置に供給される前枠１５は図５の右上に示すようにガラスのような前面透視パネル１６、球を受ける皿１７、ハンドルグリップと呼ばれる球発射操作機構１８、遊技釘や入賞部品および飾りなどの取り付けられた遊技盤１９、図外のタンク、図外の球払出機構、図外の球発射機構、図外の遊技制御装置などの部品を搭載した状態で出荷検査ラインにおいて出荷検査を受けて良品と判定された遊技実施可能な形態であって、左側に上・下前枠ヒンジ２０；２１を備える。上前枠ヒンジ２０は前枠１５から前方に突出した位置で上方に立設されたヒンジピン２２を有し、下前枠ヒンジ２１は前枠１５から前方に突出した位置にヒンジ孔２３を有する。
【０００８】
遊技機枠組立装置は外枠１を起立状態（下外枠ヒンジ８および幕板６が下側でパチンコ機がパチンコ店に設置されるような形態）で外枠搬入機構２５により外枠支持機構２６に搬送（矢印Ｘ１方向に搬送）にする一方、前枠１５を起立状態（下前枠ヒンジ２１および球発射機構１８が下側でパチンコ機がパチンコ店に設置されるような形態）で出荷検査ラインからリフト機構２７で受け取り、前枠１５を受け取ったリフト機構２７が下降して下降限度位置に停止した後に旋回機構２８に搬送し、前枠１５を受け取った旋回機構２８が平面内で９０度旋回して前枠１５の向きを替えて前枠支持機構２９に搬送（矢印Ｘ１に直交する矢印Ｘ２方向に搬送）し、外枠支持機構２６で支持した外枠１の前面と前枠支持機構２９で定位置に支持した前枠１５の前面とが互いに直角に交わるような形態で、外枠１と前枠１５とを対峙させ、外枠支持機構２６で支持した外枠１の上・下外枠ヒンジ７；８と前枠支持機構２９で定位置に支持した前枠１５の上・下前枠ヒンジ２０；２１とを互いに嵌め込むことで外枠１と前枠１５とを図１の中央下に示した形態の遊技機枠３０として組み立てる一方、当該遊技機枠３０における前枠１５を外枠１に向けて閉じることで、外枠１のロック機構１３Ａと前枠１５のロック機構１３Ｂとが互い掛け止められ、図５の左側に示した形態の遊技機枠３０が組み立てられて遊技機枠組立装置から排出されることにようになっている。前枠１５を外枠１に向けて閉じる場合、人が行うことも可能であるが、前枠支持機構２９の側から外枠支持機構２６の側に向けて前枠１５を押す機構を設けてもよい。このように機構で前枠１５を閉じる場合は、外枠１のロック機構１３Ａと前枠１５のロック機構１３Ｂとが弾性作用下で互いに掛け止められる構造を有することは必要である。上・下外枠ヒンジ７；８と上・下前枠ヒンジ２０；２１とが互いに嵌め込まれた形態は図５の中央下部に示し、上・下外枠ヒンジ７；８と上・下前枠ヒンジ２０；２１とが互いに嵌め込まれて外枠１と前枠１５とが互いに閉じ合わされた遊技機枠３０の外観および平面の形態は図５の左側に示す。
【０００９】
図１から図３を参照し、外枠支持機構２６について説明する。先ず、図１において、外枠支持機構２６は外枠搬入機構２５、外枠押出機構３１、遊技機枠受渡機構３２、カム機構３３、外枠ストッパー機構３４、上外枠ヒンジ位置決定機構３５、下外枠ヒンジ位置決定機構３６、遊技機枠搬出機構３７を備える。次に、図２において、外枠搬入機構２５には外枠検出器３８が外枠支持機構２６と対応する位置に設けられる。外枠検出器３８は外枠搬入機構２５の土台に取り付けられた直進タイプのエアシリンダーのような検出昇降駆動源３９で外枠搬入機構２５における外枠搬送体４０よりも上方および下方に昇降する。外枠押出機構３１は外枠１を図４の前枠支持機構２９で定位置に支持された前枠１５に対して前進させるものであって、外枠支持機構２６の図外の土台に取り付けられた直進タイプのエアシリンダーのような押出駆動源４３で外枠支持機構２６の構成体に向かう前進と反対側に移動する後退とを行う可動ベース４４を備える。可動ベース４４が前進・後退する場合には可動ベース４４と相対峙して上記図外の土台に固定された固定ベース４５とにわたり設けられたガイド４６で左右に振れないように案内される。可動ベース４４には下把持アーム４７、左把持アーム４８、右把持アーム４９を備える。下把持アーム４７は可動ベース４４から下方に固定的に突出した先端部に外枠１の下壁部３を取り込む溝５０を備える。左右把持アーム４８は可動ベース４４に取り付けられた回転タイプのエアシリンダーのような支持駆動源５１で退避位置と支持位置とに回転・停止する。右把持アーム４９は可動ベース４４に取り付けられた直進タイプのエアシリンダーのような支持駆動源５２で退避位置と支持位置とに回転・停止する。
【００１０】
さらに、図３において、遊技機枠受渡機構３２、カム機構３３、外枠ストッパー機構３４、上外枠ヒンジ位置決定機構３５、下外枠ヒンジ位置決定機構３６は土台フレーム５５と固定フレーム５６および旋回フレーム５７からなる構造体５８に設けられる。具体的には、土台フレーム５５は固定フレーム５６および旋回フレーム５７よりも大きな形状の中央開口部５９を備える。固定フレーム５６は起立状態の外枠１を非接触に通過可能な大きさで前後に貫通する中央開口部６０を備える。旋回フレーム５７は固定フレーム５６の前方に並列配置されており、起立状態の外枠１を非接触に通過可能な大きさで前後に貫通する中央開口部６１を備える。固定フレーム５６と旋回フレーム５７とは互いに図６に示す下外枠ヒンジ８のヒンジピン１２と下前枠ヒンジ２１のヒンジ孔２３との挿入による結合部分Ｐを中心とする固定フレーム５６に対する旋回フレーム５７の旋回運動を案内するガイド６２；６３で連結される。
【００１１】
遊技機枠受渡機構３２の昇降体６４は旋回フレーム５７に取り付けられた直進タイプのエアシリンダーのような昇降駆動源６５で昇降する。カム機構３３は土台フレーム５５にボルトＡで取り付けられたドッキングカムフォロア６７とドッキングカムフォロア６７に摺接係合して旋回フレーム５７にボルトＢで取り付けられたドッキングカム６８と、固定フレーム５６と旋回フレーム５７との双方に回転可能に取り付けられた直進タイプのエアシリンダーのような旋回駆動源６９とを備える。外枠ストッパー機構３４の外枠ストッパー７１は旋回フレーム５７に取り付けられた回転タイプのエアシリンダーのようなストッパー駆動源７２で退避位置と受止位置とに回転・停止する。
【００１２】
上外枠ヒンジ位置決定機構３５の棒状の上外枠ヒンジ位置決定体７４は旋回フレーム５７の上部に取り付けられた直進タイプのエアシリンダーのような上外枠ヒンジ位置駆動源７５で昇降する。下外枠ヒンジ位置決定機構３６の二股状の下外枠ヒンジ位置決定体７７は旋回フレーム５７の下部に取り付けられた直進タイプのエアシリンダーのような下外枠ヒンジ位置駆動源７８で前進・後退する。旋回フレーム５７には左支持アーム８０および右支持アーム８１を備える。右支持アーム８０は旋回フレーム５７に取り付けられた回転タイプのエアシリンダーのような支持駆動源８２で退避位置と支持位置と前進・後退する。右支持アーム８１は旋回フレーム５７に取り付けられた直進タイプのエアシリンダーのような支持駆動源８３で退避位置と支持位置とに前進・後退する。遊技機枠搬出機構３７には遊技機枠３０を受け取る遊技機枠リフト機構８５が外枠支持機構２６と対応する位置に設けられる。遊技機枠リフト機構８５の昇降体８６は遊技機枠搬出機構３７の土台に取り付けられた直進タイプのエアシリンダーのようなリフト駆動源８７で遊技機枠搬出機構３７における遊技機枠搬送体８８よりも上方および下方に昇降する。
【００１３】
図４を参照し、前枠支持機構２９について説明する。前枠支持機構２９は前枠搬送機構９１、前枠ガイド機構９２、上前枠ヒンジ位置決定機構９３、下前枠ヒンジ位置決定機構９４、下外枠ヒンジ下前枠ヒンジドッキング機構９５を備える。前枠搬送機構９１には前枠検出器９６が前枠ガイド機構９２に設けられる。前枠ガイド機構９２は前枠搬送機構９１で矢印Ｘ２（図５の矢印Ｘ１と直交する方向）の一方向に搬送されてきた前枠１５の下部を前枠１５の前後方向から挟む格好で案内するように前枠支持機構２９の図外の土台としての構造体に固定される。上前枠ヒンジ位置決定機構９３は前枠支持機構２９の図外の構造体に取り付けられた直進タイプのエアシリンダーのような昇降駆動源９７、昇降駆動源９７で昇降する昇降体９８、昇降体９８と前枠支持機構２９の図外の構造体とにわたり昇降体９８の横振れを防止するように設けられた昇降ガイド９９、昇降体９８に取り付けられた直進タイプのエアシリンダーのような上前枠ヒンジ位置決定駆動源１００、上前枠ヒンジ位置決定駆動源１００で昇降する棒状の上前枠ヒンジ位置決定体１０１を備える。
【００１４】
下前枠ヒンジ位置決定機構９４は前枠搬送機構９１の搬送方向と直交する方向に配置された１組になっており、前枠支持機構２９の図外の構造体に取り付けられた直進タイプのエアシリンダーのような下前枠ヒンジ位置決定駆動源１０２、下前枠ヒンジ位置決定駆動源１０２で前枠搬送機構９１に近づいたり離れたり前進・後退する下前枠ヒンジ位置決定体１０３を備える。本実施形態では前枠搬送機構９１の前側に配置された下前枠ヒンジ位置決定機構９４の下前枠ヒンジ位置決定駆動源１０２は直進タイプのエアシリンダーのような駆動源１０４でガイドレール１０５に案内されつつ前枠搬送機構９１の搬送方向に前進・後退する。下外枠ヒンジ下前枠ヒンジドッキング機構９５は直進タイプのエアシリンダーのような昇降駆動源１０６で前枠搬送機構９１を昇降する。図４中の符号１０７は上前枠ヒンジ位置決定機構９３に設けられた前枠位置決定機構であって、前枠搬送機構９１で搬送されてきた前枠１５を上前枠ヒンジ位置決定駆動源１００と下前枠ヒンジ位置決定駆動源１０２とによる位置決めに先駆けて前枠搬送機構９１で搬送されてきた前枠１５を位置決め停止する。
【００１５】
本実施形態の動作について説明する。外枠搬入機構２５で矢印Ｘ１方向に搬送された外枠１が外枠支持機構２６の背後に到達すると、外枠検出器３８が外枠１を検出して外枠搬入機構２５の外枠搬送体４０よりも下部に退避するとともに、外枠検出器３８の外枠１の検出で外枠搬入機構２５が搬送動作を停止する。その後、外枠検出器３８の外枠１の検出で外枠押出機構３１の可動ベース４４が外枠支持機構２６の構造体５８に向けて前進するのに伴い、下把持アーム４７が外枠搬入機構２５に搭載されている外枠１の下壁部３を溝５０に取り込む格好で支持する一方、左把持アーム４８が図２の実線示の退避位置から回転して図２の仮想線示の支持位置に停止した後に、右把持アーム４９が退避位置から左把持アーム４８に近づく方向に横移動して支持位置に停止することで、左・右把持アーム４８；４９が外枠１を左右の外側から挟む格好で支持する。そして、可動ベース４４の前進に伴い、外枠押出機構３１が支持した外枠１を外枠搬入機構２５から前方に押し出し、外枠１が構造体５８における中央開口部５９；６０；６１を通過して旋回フレーム５７よりも前方に突出した位置で、外枠押出機構３１の駆動が停止する。
【００１６】
前記外枠押出機構３１の駆動が停止する前に、外枠支持機構２６の旋回フレーム５７の左下に設けられた外枠ストッパー７１が図３の実線示の退避位置から回転して図３の仮想線示の受止位置に停止し、可動ベース４４の前進で旋回フレーム５７よりも前方に突出した外枠１の前面を受け止めることで、可動ベース４４に対する外枠１の前後方向の位置が確保される。その後、旋回フレーム５７に設けられた左支持アーム８０が右側に横移動するとともに旋回フレーム５７に設けられた右支持アーム８１が左側に横移動することで、左・右支持アーム８０；８１が外枠押出機構３１で支持されている外枠１を左右の外側から挟む格好で支持する。この構造体５８で外枠１が支持された後に、外枠押出機構３１の左・右把持アーム４８；４９が支持位置から退避位置に復帰し、外枠押出機構３１の外枠１への支持が解放し、可動ベース４４が外枠搬入機構２５よりも後方に後退して次の外枠１の外枠搬入機構２５から外枠支持機構２６への運搬のために退避する。
【００１７】
次に、上外枠ヒンジ位置決定体７４と下外枠ヒンジ位置決定体７７とが駆動する。この駆動によって、上外枠ヒンジ位置決定体７４が上外枠ヒンジ７に形成された図２の位置決定孔１４に上方から嵌め込まれ、下外枠ヒンジ位置決定体７７が下外枠ヒンジ８の外枠１周りに嵌め込まれることで、上・下外枠ヒンジ７；８が位置決めされる。これと並行し、外枠ストッパー７１が受止位置から退避位置に復帰する。その後、カム機構３３が駆動することで、外枠１を支持した旋回フレーム５７が図６に示すように左側に少し旋回したところで、カム機構３３の駆動が停止する。この旋回フレーム５７の左側への旋回で、ドッキングカムフォロア６７とドッキングカム６８との嵌合位置関係は図６の左上に示す状態となる。この旋回フレーム５７の左側への旋回量は、前枠１５が外枠１に組み立てられるために前枠搬送機構９１で外枠１に近づくように搬送されてきて停止するまでの間において、上・下外枠ヒンジ７；８と上・下前枠ヒンジ２０；２１とが干渉しないように互いに位置がずれる距離である。
【００１８】
引き続き、前枠搬送機構９１で矢印Ｘ２（矢印Ｘ１と直交する方向）の一方向に搬送されてきた前枠１５が外枠支持機構２６で支持されている外枠１の直前に到達すると、前枠検出器９６が外枠１を検出して前枠搬送機構９１が搬送動作を停止する。この停止によって、下前枠ヒンジ２１が下外枠ヒンジ８の真下に潜り込む格好に配置され、上前枠ヒンジ２０が上外枠ヒンジ７よりも下部側方に配置される。また、前枠検出器９６の外枠１の検出で前枠支持機構２９の上前枠ヒンジ位置決定機構９３および下前枠ヒンジ位置決定機構９４が駆動する。この駆動によって、上前枠ヒンジ位置決定体１０１が上前枠ヒンジ２０に形成された図４の位置決定孔２４に上方から嵌め込まれ、下前枠ヒンジ位置決定体１０３が下前枠ヒンジ２１の前枠１５周りに嵌め込まれることで、上・下前枠ヒンジ２０；２１が位置決めされる。この位置決めで、図６に示すように、下前枠ヒンジ２１のヒンジ孔２３が下外枠ヒンジ８のヒンジピン１２の真上に配置され、上前枠ヒンジ２０のヒンジピン２２が上外枠ヒンジ７の下部右側方に配置される。
【００１９】
このように上・下外枠ヒンジ７；８と上・下前枠ヒンジ２０；２１とが位置決めされた後、下外枠ヒンジ下前枠ヒンジドッキング機構９５が駆動して前枠搬送機構９１を下降することで、外枠１に対し前枠１５が下がり、下前枠ヒンジ２１のヒンジ孔２３に下外枠ヒンジ８のヒンジピン１２が下方から挿入され、図６の結合部分Ｐが形成される。引き続き、カム機構３３が上記と逆方向に駆動することで、外枠１を支持した旋回フレーム５７が下外枠ヒンジ８のヒンジピン１２と下前枠ヒンジのヒンジ孔９との挿入による結合部分Ｐを中心として右側に少し旋回したところで、カム機構３３の駆動が停止する。この旋回フレーム５７の右側への旋回で、ドッキングカムフォロア６７とドッキングカム６８との嵌合位置関係は図６の右上に示す状態となる。
【００２０】
そして、このカム機構３３による旋回フレーム５７の右側への旋回で、上前枠ヒンジ２０のヒンジピン２２が図８のステップ１０１〜１０２に示す移動軌跡を描いて上外枠ヒンジ７のピンストッパー１０をばね１１のばね力に抗して回転しつつピンストッパー１０と上外枠ヒンジ７の半円形のヒンジ孔９との間に形成に形成された隙間ｄを経由してヒンジ孔９に挿入される。この上前枠ヒンジ２０におけるヒンジピン２２の上外枠ヒンジ７におけるヒンジ孔９への挿入に伴い、ピンストッパー１０が図８のステップ１０３に示すようにばね１１のばね１１力で復帰し上記隙間ｄ（ステップ１０２参照）を閉鎖し、ピンストッパー１０がヒンジピン１２のヒンジ孔９からの抜け止めを防止する。これによって、図５の中央下に示すように、外枠支持機構２６で支持した額縁状の外枠１の上・下外枠ヒンジ７；８と前枠支持機構で定位置に支持された前枠１５の上・下前枠ヒンジ２０；２１とが互いに嵌め合わせられ、外枠１と前枠１５とが遊技機枠３０として組み立てられる。
【００２１】
この上・下外枠ヒンジ７；８と上・下前枠ヒンジ２０；２１との嵌め合わせが完了すると、図３のカム機構３３、上外枠ヒンジ位置決定機構３５、下外枠ヒンジ位置決定機構３６のそれぞれが復帰し、旋回フレーム５７が図７に示す初期姿勢に戻り、上外枠ヒンジ位置決定機構３５および下外枠ヒンジ位置決定機構３６による外枠１に対する支持が解除する一方、図４の上前枠ヒンジ位置決定機構９３、下前枠ヒンジ位置決定機構９４、下外枠ヒンジ下前枠ヒンジドッキング機構９５が復帰し、上前枠ヒンジ位置決定機構９３および下前枠ヒンジ位置決定機構９４による前枠１５に対する支持が解除される。引き続き、遊技機枠受渡機構３２の昇降体６４が下降するとともに、遊技機枠リフト機構８５の昇降体８６が遊技機枠搬出機構３７における遊技機枠搬送体８８よりも上方に上昇する。この昇降体６４の下降と昇降体８６の上昇とで、遊技機枠３０が遊技機枠受渡機構３２から遊技機枠リフト機構８５に受け渡される。この遊技機枠３０の受け渡しが完了すると、遊技機枠３０を受け渡した遊技機枠受渡機構３２の昇降体６４が上昇し、遊技機枠３０を受け取った遊技機枠リフト機構８５の昇降体８６が下降する。そして、昇降体８６が遊技機枠搬送体８８よりも下方に下降する過程において、遊技機枠３０が遊技機枠搬送体８８に受け取られて遊技機枠搬出機構３７の搬送動作で遊技機枠組立装置から排出される。
【００２２】
カム機構３３のドッキングカムフォロア６７が土台フレーム５５にボルトＡで取り付けられ、カム機構３３のドッキングカム６８が旋回フレーム５７にボルトＢで取り付けられているので、特に、ドッキングカム６８がドッキングカムフォロア６７を摺接係合する異なる形状の溝を有する別のドッキングカムに交換されることで、旋回フレーム５７の旋回運動範囲を変更することができるので、例えば、旋回フレーム５７の旋回運動範囲が零となるように形成すれば、従来のような外枠と前枠とを相対的に昇降し合うことで上・下外枠ヒンジと上・下前枠ヒンジとを互いに嵌め込むこともできる。また、カム機構３３を取り付けたまま、カム機構３３の旋回駆動源６９の駆動を停止して旋回フレーム５７を図７に示す所期姿勢に保持し、土台フレーム５５を前後左右上下のいずれに移動することで、、従来のような外枠と前枠とを相対的に昇降し合うことで上・下外枠ヒンジと上・下前枠ヒンジとを互いに嵌め込むこともできる。
【００２３】
下外枠ヒンジ下前枠ヒンジドッキング機構９５は前枠搬送機構９１を昇降することで外枠１に対し前枠１５を持ち上げて下外枠ヒンジ８のヒンジピン１２と下前枠ヒンジ２１のヒンジ孔２３と嵌め合わせたが、下外枠ヒンジ下前枠ヒンジドッキング機構９５で例えば土台フレーム５５または固定フレーム５６を昇降することで前枠１５に対し外枠１を持ち上げて下外枠ヒンジ８のヒンジピン１２と下前枠ヒンジ２１のヒンジ孔２３と嵌め合わせることも同様に適用することができる。つまり、下外枠ヒンジ下前枠ヒンジドッキング機構９５は下外枠ヒンジ８と下前枠ヒンジ２１とを互いに嵌め合わせるために外枠１と前枠１５とを相対的に昇降させる機構であればよい。また、
【図面の簡単な説明】
【図１】一実施形態の外枠支持機構の全体を示す分解斜視図。
【図２】同実施形態の外枠搬入機構、外枠押出機構を示す分解斜視図。
【図３】同実施形態の遊技機枠受渡機構、カム機構、外枠ストッパー機構、上外枠ヒンジ位置決定機構、下外枠ヒンジ位置決定機構、構造体を示す分解斜視図。
【図４】同実施形態の前枠支持機構を示す分解斜視図。
【図５】同実施形態の遊技機枠組立装置を平面的に示す模式図。
【図６】同実施形態の旋回フレームの旋回姿勢を示す正面図。
【図７】同実施形態の旋回フレームの初期姿勢を示す正面図。
【図８】同実施形態の上外枠ヒンジと上前枠ヒンジとの嵌め合い動作を示す工程図。
【符号の説明】
１　外枠、７　上外枠ヒンジ、８　下外枠ヒンジ、１５　前枠、
２６　外枠支持機構、２９　前枠支持機構、３０　遊技機枠、
３１　外枠押出機構、３３　カム機構、
９５　下外枠ヒンジ下前枠ヒンジドッキング機構。
【図１】
2004081425.tif 000003
【図２】
2004081425.tif 000004
【図３】
2004081425.tif 000005
【図４】
2004081425.tif 000006
【図５】
2004081425.tif 000007
【図６】
2004081425.tif 000008
【図７】
2004081425.tif 000009
【図８】
2004081425.tif 000010